(57)【要約】【課題】チェンジキーの介在が不要であるとともに、キーコード変更によって使用不可とした元の第1キーの再使用を確実に排除できる可変コード型シリンダ錠を提供する。【解決手段】プラグの外周面のポケット部の底部に鍵孔に貫通する連絡孔を形成し、該ポケット部に挿入したレジストピンの内側端部を該連絡孔に挿入し、シリンダケースのドライバピン孔から送り出されたチェンジピンを、該レジストピンの外側に収容することによって、レジストピンの内側端部を前記鍵孔内に突出させ、コード変更後に使用される第２キーには、前記内側端部が通過可能な逃げ部を形成してある。【選択図】図７
2005113645.tif 000002
【特許請求の範囲】
【請求項１】
プラグを回転可能に挿入したシリンダケースに、内周面に連通する複数のドライバピン孔を配設し、該ドライバピン孔にドライバピンと該ドライバピンを内周面の方向に付勢するバネを挿入し、プラグの鍵孔よりプラグの外周面に貫通するコードピン孔を前記ドライバピン孔に対応する位置に設け、少なくとも一つのコードピン孔には所定のコードピンに加えて前記ドライバピンに対面するチェンジピンを挿入し、前記プラグの外周面にはポケット部を形成してあるシリンダ錠と、
前記鍵孔に挿入されたときに前記チェンジピンとドライバピンの接触面又はコードピンとドライバピンの接触面を前記プラグの外周面に一致させる深さに形成された第1ピン操作部を有する第1キーと、
上記鍵孔に挿入されたときに前記コードピンとチェンジピンの接触面を前記プラグの外周面に一致させる深さに形成された第２ピン操作部を少なくとも一つ有する第２キーとの組み合わせとから成り、
第２キーによって前記プラグをキーチェンジ位置に回転させたとき、前記ドライバピン孔から送り出された前記チェンジピンが収容される前記ポケット部には、前記鍵孔に貫通する連絡孔を底部に形成してあり、該ポケット部に挿入したレジストピンの内側端部を該連絡孔に挿入し、前記ポケット部への前記チェンジピンの収容によって前記レジストピンの内側端部が前記鍵孔内に突出するように配置し、前記第２キーには前記レジストピンの内側端部が通過可能な逃げ部を形成した可変コード型シリンダ錠。
【発明の詳細な説明】
【技術分野】
【０００１】
本発明は、キーコードを必要に応じて変更することができる可変コード型シリンダ錠に関する。
【背景技術】
【０００２】
ホテルの客室扉に設置されているシリンダ錠において、キーが盗難にあったり、客室利用者が不注意によって紛失した場合等においては、当該キーを不正取得した他人によって無断開錠される危険性があるため、シリンダ錠を交換する必要がある。
【０００３】
しかし、錠全体を交換するときには、錠設置者の経済的負担が大きく、交換作業の労力手間がかさみ、錠交換が完了するまでその部屋を安全に供用することが出来ない。
この改善策として、必要に応じてキーコードを変更でき、変更後は、元のキーが使用できないように構成した可変コード型シリンダ錠が提供されている（例えば特許文献１）。
【０００４】
従来の可変コード型シリンダ錠は、プラグを回転可能に挿入したシリンダケースに、内周面に連通する複数のドライバピン孔を配設し、該ドライバピン孔にドライバピンと該ドライバピンを内周面の方向に付勢するバネを挿入し、プラグの鍵孔よりプラグの外周面に貫通するコードピン孔を前記ドライバピン孔に対応する位置に設け、少なくとも一つのコードピン孔には所定のコードピンに加えて前記ドライバピンに対面するチェンジピンを挿入したシリンダ錠と、
前記鍵孔に挿入されたときに前記チェンジピンとドライバピンの接触面又はコードピンとドライバピンの接触面を前記プラグの外周面に一致させる深さに形成された第1ピン操作部を有する複数個の常用キーと、
上記鍵孔に挿入されたときに前記コードピンとチェンジピンの接触面を前記プラグの外周面に一致させる深さに形成された第２ピン操作部を少なくとも一つ有するチェンジ用キーとの組み合わせから成る。
【０００５】
この可変コード型シリンダ錠では、前記プラグをキーチェンジ位置に回転させたとき、前記ドライバピン孔に送り込まれていたチェンジピンが、前記プラグの外周面に形成されたポケット部に収容されることによって、キーコードが変更され、対応箇所の第1ピン操作部の深さにおいて異なる別の常用キーの使用が可能となり、元の常用キーは使用できないことになる。
【０００６】
通常の使用形態では原理的にあり得ないことであるが、使用不可とされた元の常用キーによって開錠された事例が報告された。この事例を分析したところ、キーのコード設定のピッチ間隔が一定以上に小さい場合には、構成部品の機械加工の誤差に長年使用による構成部品の摩耗の影響が加わって、プラグとキーをガタガタ振動させながら挿入すると、確率は低いのであるが、元の常用キーでも偶発的に開錠状態になることが判明した。
【０００７】
この方式の可変コード型シリンダ錠では、キーコード変更前の元の常用キーとキーコード変更後の新しい常用キーとの仲介をするように断面形成されたチェンジキーが必要であるため、セット全体としての製作コストが嵩み、チェンジキーの管理も煩雑であった。
【０００８】
【特許文献１】登録実用新案第２５６８６５３号公報
【発明の開示】
【発明が解決しようとする課題】
【０００９】
本発明が解決しようとする課題は、チェンジキーの介在が不要であるとともに、キーコード変更によって使用不可とした元のキーの再使用を確実に排除できるように改良することである。
【課題を解決するための手段】
【００１０】
本発明の主たる特徴は、プラグを回転可能に挿入したシリンダケースに、内周面に連通する複数のドライバピン孔を配設し、該ドライバピン孔にドライバピンと該ドライバピンを内周面の方向に付勢するバネを挿入し、プラグの鍵孔よりプラグの外周面に貫通するコードピン孔を前記ドライバピン孔に対応する位置に設け、少なくとも一つのコードピン孔には所定のコードピンに加えて前記ドライバピンに対面するチェンジピンを挿入し、前記プラグの外周面にはポケット部を形成してあるシリンダ錠と、
前記鍵孔に挿入されたときに前記チェンジピンとドライバピンの接触面又はコードピンとドライバピンの接触面を前記プラグの外周面に一致させる深さに形成された第1ピン操作部を有する第1キーと、
上記鍵孔に挿入されたときに前記コードピンとチェンジピンの接触面を前記プラグの外周面に一致させる深さに形成された第２ピン操作部を少なくとも一つ有する第２キーとの組み合わせとから成り、
第２キーによって前記プラグをキーチェンジ位置に回転させたとき、前記ドライバピン孔から送り出された前記チェンジピンが収容される前記ポケット部には、前記鍵孔に貫通する連絡孔を底部に形成してあり、該ポケット部に挿入したレジストピンの内側端部を該連絡孔に挿入し、前記ポケット部への前記チェンジピンの収容によって前記レジストピンの内側端部が前記鍵孔内に突出するように配置し、前記第２キーには前記レジストピンの内側端部が通過可能な逃げ部を形成したことである。
【発明の効果】
【００１１】
本発明の可変コード型シリンダ錠では、プラグ外周面のポケット部は、チェンジピンと一緒にレジストピンを収容できるように形成してあり、ポケット部の底部の連絡孔からレジストピンの内側端部をプラグの鍵孔内に突出させてあり、このレジストピンは、施解錠の通常の作動時においては移動不能に拘束されているため、該内側端部が通過可能な逃げ部を形成していない元の第1キーは、該内側端部に邪魔される結果、所要深さまで挿入することができない。
そのため、機械加工の誤差や部品の摩耗等がある場合であっても、元の第1キーを不正利用する者を確実に排除できる。
【００１２】
また、キーコード変更を次に使用する第２キーそれ自体によって直接行なうので、従来方式におけるようなチェンジキーの介在は不要であり、セット全体の製作コストを節減でき、チェンジキーの煩雑な管理も省ける。
【発明を実施するための最良の形態】
【００１３】
特定の1個または数個のコードピン孔だけにコードピンとチェンジピンを挿入し、残りのコードピン孔にはコードピンだけを挿入した場合には、変更可能なキーコードの数は自ずと限定されることになる。このような実施形態では、第２キーは、第２ピン操作部のほかに第1ピン操作部も有する。
したがって、シリンダ錠の適用対象の要請から、変更可能なキーコードの数を最大限に増やしたい場合には、すべてのコードピン孔にコードピンとチェンジピンを挿入する。この場合には、第２キーは第２ピン操作部だけを有する。各構成部品は、機械的強度の高い金属材料で作製されている。
【実施例】
【００１４】
図１から図７は本発明の可変コード型シリンダ錠の実施例１を示す。図１はシリンダ錠全体の右側面図であり、筒形状のシリンダケース１に円柱状のプラグ２が回転可能に嵌挿され、プラグ２の前端部は一部球面状にシリンダケース１の前面に突出し、プラグ２の後端軸部はシリンダケース１の後面から突出している。プラグ２の鍵孔３に現在使用中の第１キーＫＡが半ばまで挿入されている状態を示している。
【００１５】
例えば、このシリンダ錠を部屋の出入り口の扉（図示していない）に適用した場合には、シリンダケース１は扉の取付孔に嵌められ、外周螺子部に嵌めた取付ナットによって扉に締付固着される。プラグ２の後端軸部にはデッドボルトが連動装備され、該デッドボルトはプラグ２の通常作動時の回転方向にしたがって、出入り口の側柱に設けたストライク（図示していない）と係合又は離脱して、扉を前記側柱に対して施錠又は解錠する。
【００１６】
実施例１では、プラグ２の長さ方向に沿って複数個並列に半径方向に形成されたコードピン孔４には、その全部にコードピン５とチェンジピン６が挿入されている。説明の便宜上、図２から図７の断面図では特定の一箇所におけるピン配列を示しているが、残りの箇所においても、同様なピン配列になっている。ただし、コードピン５の長さは、各断面のピン配列において共通ではなく、多くの鍵違いを得るには、一定の長さ寸法（ピッチ間隔）を単位として相互に異ならせるのが望ましい。
【００１７】
これに対応して、キーの側部端面のエッジ部や腹部面に凹凸部によって形成されるピン操作部（通常、鍵山と称されるもの）は、その深さ寸法において別異に形成される。
実施例１では、図１に示したように第1キーＫＡの第１ピン操作部７は、板状キー本体の側部端面の一方のエッジ部斜面に形成された逆円錐台形の凹部によって構成されている。他の第２キーＫＢにおいても、第１ピン操作部７と第２ピン操作部８は同様に形成されている。チェンジピン６の長さ寸法は、各ピン配列において全部同じになっている。
前記の通り各ピン操作部は逆円錐台形の凹部であるが、図示の簡略化と、深さ関係の対比を容易にするために、いずれも単なる平坦面として描いてある。この平坦面は、逆円錐台形凹部の底面に相当する。
【００１８】
ドライバピン９をプラグ２の方向に移動付勢するバネ１０は、圧縮コイルバネによって構成されており、バネ１０の一端はドライバピン９のバネ受け窪み１１に挿入され、バネ１０の他端はシリンダケース１に固着したバネ受け板１２に当接している。
レジストピン１３は大径な頭部と小径な内側端部１５とで構成されており、ポケット部１４の深さは、チェンジピン６の長さとレジストピン１３の頭部の長さの合計に等しくなっている。レジストピン１３の内側端部１５は、レジストピン１３の頭部がポケット部１４の底面に当接したとき、鍵孔３内に一部が突出する寸法に設定されている。
【００１９】
図２は、現在使用中である第１キーＫＡが鍵孔３から抜き取れられているときのピン配列を示しており、バネ１０に押されたドライバピン９は内側端部がドライバピン孔１６から突出して、コードピン孔４に入り込んでおり、これによってシリンダケース1に対するプラグ２の回転が阻止されている。
このとき、前記デッドボルトは前記ストライクに係合しており、閉鎖状態の扉は側柱に対して施錠されている。
【００２０】
第1キーＫＡを鍵孔３に所定深さまで挿入すると、図３に示したように、コードピン５の内側端部が第1キーＫＡの第１ピン操作部７に押されるため、コードピン５とチェンジピン６が遠心方向に移動し、バネ１０の付勢に抗してドライバピン９はドライバピン孔１６内に全体が没入し、チェンジピン６とドライバピン９の接触面がプラグ２の外周面に一致する。
そのため、シリンダケース１に対するプラグ２の回転拘束は解かれる。図３に示した通常作動時の方向、すなわち時計回り方向に第1キーＫＡによってプラグ２を回転させると、所定角度、例えば９０度回転した段階で前記デッドボルトがストライクから離脱し、扉が解錠される。
【００２１】
第１キーＫＡを鍵孔３に挿入する過程において、第１キーＫＡの先端カム面部がレジストピン１３の内側端部に接触するが、通常作動モードに設定されているときには、レジストピン１３の頭部とシリンダケース１の内周面との間には、一定の空所が残されているため、第１キーＫＡに内側端部１５を押されたレジストピン１３は、ポケット部１４内を遠心方向に移動して、第１キーＫＡの通過を許容する。
【００２２】
逃げ用のドライバピン孔をシリンダケース１に設け、それにドライバピンと付勢用バネを挿入して置けば、第１キーＫＡを解錠位置においてプラグ２から抜き取ることもできる。扉を開けて人の出入りや物品の搬出入を終えた後、扉を閉めて第１キーＫＡを逆回転させると、扉は再び施錠され、最後に第１キーＫＡが鍵孔３から抜き取られる。
このようにシリンダ錠としての通常作動は、一般のシリンダ錠と何ら変わりはない。
【００２３】
現在使用中の第１キーＫＡが盗難にあったとき、あるいは第１キーＫＡを紛失したときには、セキュリティ確保のために、キーコードを変更する必要がある。キーコードの変更操作には、次に使用する予定の第２キーＫＢを直接使用する。
第２キーＫＢにおいて、キーコード変更に関与する第２ピン操作部８は、第１ピン操作部７とは反対側にあるエッジ部斜面に形成されている。
第２キーＫＢの第２ピン操作部８は、元の第１キーＫＡの第１ピン操作部７よりもチェンジピン６の長さ分だけ浅く形成されているため、第２キーＫＢが所定深さまで鍵孔３に挿入されたとき、図４に示したように、コードピン５とチェンジピン６の接触面がプラグ２の外周面と一致する。
【００２４】
このようにチェンジピン６とドライバピン９の全体がバネ１０の付勢に抗してドライバピン孔１６に没入するため、シリンダケース１に対するプラグ２の回転拘束が解かれる。
そこで、通常作動時とは逆方向、すなわち図４において反時計回り方向に第２キーＫＢによってプラグ２を所定角度（実施例１では９０度）回転させると、図５に示したように、ドライバピン孔１６がポケット部１４に対面する。両者の対面が成立した瞬間に、チェンジピン６がドライバピン９を介して作用するバネ１０の力によって、ドライバピンこう６からポケット部１４へと自動的に送り出される。
【００２５】
チェンジピン６をポケット部１４に受け入れたプラグ２は、第２キーＫＢを逆回転させることによって、図６に示したように最初の抜き差し位置に戻される。
そして、第２キーＫＢを鍵孔３から抜き取った瞬間に、コードピン５とドライバピン９はバネ１０の付勢力によって求心方向に移動する。
図７に示したように、ドライバピン９は元の第１キーＫＡのときよりも、ポケット部１４に移されたチェンジピン６の長さ分だけ深くコードピン孔４に入り込み、コードピン５の内側端部は当該チェンジピン６の長さ分だけ長く鍵孔３内に突き出る。
【００２６】
以上の操作によってキーコード変更は完了し、常用のキーは第１キーＫＡから第２キーＫＢに交換されたが、シリンダ錠本体は交換せずに、そのまま続行使用される。
この第２キーＫＢには、第１ピン操作部７とは反対側のエッジ部斜面に、レジストピン１３の内側端部１５が抵抗なく通過し得る逃げ部１７を設けてあるため、第２キーＫＢは鍵孔３に支障なく挿入することができる。
【００２７】
他方、元の第１キーＫＡを盗み取った者あるいは拾得した者が、第１キーＫＡを鍵孔３に挿入しようとするときには、第１キーＫＡの先端カム部がチェックピン１３の内側端部１５を連絡孔１８に向かって押し戻そうとしても、レジストピン１３を介してチェンジピン６がシリンダケース１の内周面に押し付けられるだけであるから、チェンジピン６とレジストピン１３はポケット部１４内での移動を完全に拘束されている。
そのため、元の第１キーＫＡは、レジストピン１３の内側端部１５に邪魔され、鍵孔３内に所要深さまで挿入することはできない。
【００２８】
これによって、元の第１キーＫＡの再使用は完全に排除され、窃取者らによる抉じ開け無断開錠の危険性がなくなる。
なお、レジストピンの内側端部が通過可能な逃げ部の形成箇所は、板状キー本体の側部端面のエッジ部には限定されず、キー本体の腹部面に形成することもでき、当該逃げ部の個数と形状及び配置角度も特に限定されない。また、添付図面では、チェンジピンは理解を容易にするため比較的長く描いてあるが、実際には円盤状のもっと薄いものとなる。
【図面の簡単な説明】
【００２９】
【図１】本発明の実施例１に係る可変コード型シリンダ錠の右側面図であり、現在使用中の第1キーを半ばまで挿入した状態を示している。
【図２】図１のシリンダ錠の特定の１箇所における横断面図であり、第1キーは抜き取った状態にある。
【図３】前記特定の１箇所における横断面図であり、第1キーを所定深さまで挿入、プラグが回転可能な状態を示している。
【図４】前記特定の１箇所における横断面図であり、次に使用する第２キーを所定深さまで挿入し、プラグが回転可能な状態を示しており、チェンジピンはプラグのコードピン孔からシリンダケースのドライバピン孔に送り込まれている。
【図５】前記特定の１箇所における横断面図であり、第２キーによってプラグをコード変更位置へと回転させ、チェンジピンをドライバピン孔からポケット部に受け取った状態を示している。
【図６】前記特定の１箇所における横断面図であり、プラグを第２キーによって抜き差し位置へと戻した状態を示している。
【図７】前記特定の１箇所における横断面図であり、第２キーをプラグから抜き取った状態を示している。
【符号の説明】
【００３０】
１  シリンダケース
２  プラグ
３  鍵孔
４  コードピン孔
５  コードピン
６  チェンジピン
７  第１ピン操作部
８  第２ピン操作部
９  ドライバピン
１０  バネ
１１  円形窪み
１２  バネ受板
１３  レジストピン
１４  ポケット部
１５  レジストピンの内側端部
１６  ドライバピン孔
１７  逃げ部
１８  連絡孔
ＫＡ  第1キー
ＫＢ  第２キー
【図１】
2005113645.tif 000003
【図２】
2005113645.tif 000004
【図３】
2005113645.tif 000005
【図４】
2005113645.tif 000006
【図５】
2005113645.tif 000007
【図６】
2005113645.tif 000008
【図７】
2005113645.tif 000009